(57)【要約】 【課題】低コスト、かつ、高度な情報セキュリティを達成しつつ、設備点検業務を実施することが可能な設備点検業務端末を提供する。【解決手段】設備機器の点検を行う際に用いられる設備点検業務端末は、記憶部、利用者情報取得部、時刻取得部及び制御部を具備する。記憶部は、前記点検を実施する担当者を示す担当者情報、及び前記点検を実施する予定の時間帯を示す時間帯情報を含む点検計画データを予め記憶する。利用者情報取得部は、前記点検の開始前に、前記端末を使用する利用者の利用者情報を取得する。時刻取得部は、前記点検の開始前に、現在時刻を取得する。制御部は、前記担当者情報と、前記利用者情報とが一致し、かつ、前記時間帯情報により示される時間帯が前記現在時刻を含む場合、前記点検の開始を承認する。【選択図】図１
2014106798.tif 000002
【特許請求の範囲】
【請求項１】
設備機器の点検を行う際に用いられる設備点検業務端末において、
前記点検を実施する担当者を示す担当者情報、及び前記点検を実施する予定の時間帯を示す時間帯情報を含む点検計画データを予め記憶する記憶部と、
前記点検の開始前に、前記端末を使用する利用者の利用者情報を取得する利用者情報取得部と、
前記点検の開始前に、現在時刻を取得する時刻取得部と、
制御部と
を具備し、
前記制御部は、前記担当者情報と、前記利用者情報とが一致し、かつ、前記時間帯情報により示される時間帯が前記現在時刻を含む場合、前記点検の開始を承認する事前承認部を備える設備点検業務端末。
【請求項２】
前記点検の開始前に、前記端末が存在する現在位置を取得する位置取得部をさらに具備し、
前記記憶部は、少なくとも前記点検の対象となる設備機器の設置場所を示す位置情報を予めさらに記憶し、
前記事前承認部は、前記現在位置が、前記位置情報により示される設置場所に含まれる場合、前記点検の開始を承認する請求項１記載の設備点検業務端末。
【請求項３】
前記記憶部は、前記点検の対象となる設備機器の設備ＩＤを前記点検計画データにさらに含み、前記設備ＩＤにより特定される設備機器についての詳細情報を予めさらに記憶し、
前記点検の開始時に、前記点検の対象となる設備機器の設備ＩＤを直接取得する設備情報取得部をさらに具備し、
前記制御部は、前記直接取得した設備ＩＤが前記点検計画データに含まれているか否かを判断し、含まれる場合、前記直接取得した設備ＩＤに応じた設備機器の詳細情報を前記記憶部から読み出して表示する点検処理部をさらに備える請求項２記載の設備点検業務端末。
【請求項４】
前記時刻取得部は、前記設備機器の点検が終了すると、前記点検が終了した終了時刻を取得し、
前記位置取得部は、前記設備機器の点検が終了すると、前記点検が終了した終了位置を取得し、
前記点検処理部は、前記終了時刻が前記時間帯情報により示される時間帯に含まれ、かつ、前記終了場所が、前記点検が終了した設備機器の設置場所と一致する場合、点検結果を前記記憶部に記憶する請求項２又は３に記載の設備点検業務端末。
【請求項５】
前記記憶部は、前記点検の対象となり得る設備機器の設置場所を示す位置情報を予め記憶し、前記位置情報のうち、立入制限の対象となる設備機器の位置情報を、立入制限フラグを付して記憶し、
前記事前承認部は、前記立入制限フラグが付された位置情報により示される設置場所と、前記現在位置とが一致する場合、立入が制限されていることを表示する請求項２記載の設備点検業務端末。
【請求項６】
前記記憶部は、前記点検計画データを点検毎に更新する請求項１乃至５のいずれかに記載の設備点検業務端末。
【請求項７】
前記記憶部は、前記点検の対象となり得る設備機器の設置場所を示す位置情報を予め記憶し、前記点検計画データと、前記位置情報とを点検毎に更新する請求項１乃至５のいずれかに記載の設備点検業務端末。
【請求項８】
設備点検業務端末により設備機器を点検する設備点検支援システムにおいて、
前記設備点検業務端末と、前記設備点検業務端末とネットワークを介して接続するサーバとを具備し、
前記サーバは、
前記点検を実施する担当者を示す担当者情報、及び前記点検を実施する予定の時間帯を示す時間帯情報を含む点検計画データを予め記憶する記憶部を備え、
前記設備点検業務端末は、
前記点検の開始前に、前記端末を使用する利用者の利用者情報を取得する利用者情報取得部と、
前記点検の開始前に、現在時刻を取得する時刻取得部と、
前記ネットワークを介し、前記サーバから前記担当者情報と前記時間帯情報とを取得する通信部と、
前記担当者情報と、前記利用者情報とが一致し、かつ、前記時間帯情報により示される時間帯が前記現在時刻を含む場合、前記点検の開始を承認する事前承認部を備える制御部と
を備える設備点検支援システム。
【請求項９】
前記記憶部は、少なくとも前記点検の対象となる設備機器の設置場所を示す位置情報を予めさらに記憶し、
前記設備点検業務端末は、前記点検の開始前に、前記端末が存在する現在位置を取得する位置取得部をさらに備え、
前記通信部は、ネットワークを介し、前記サーバから前記位置情報をさらに取得し、
前記事前承認部は、前記現在位置が、前記位置情報により示される設置場所に含まれる場合、前記点検の開始を承認する請求項８記載の設備点検支援システム。
【請求項１０】
設備機器の点検を行う際に用いられる設備点検業務端末において、
前記点検の開始前に、前記端末を使用する利用者の利用者情報を取得する利用者情報取得部と、
前記点検の開始前に、現在時刻を取得する時刻取得部と、
点検計画データに含まれる、前記点検を実施する担当者を示す担当者情報、及び前記点検を実施する予定の時間帯を示す時間帯情報を、ネットワークを介してサーバから受信する通信部と、
制御部と
を具備し、
前記制御部は、前記担当者情報と、前記利用者情報とが一致し、かつ、前記時間帯情報により示される時間帯が前記現在時刻を含む場合、前記点検の開始を承認する事前承認部を備える設備点検業務端末。
【請求項１１】
前記点検の開始前に、前記端末が存在する現在位置を取得する位置取得部をさらに具備し、
前記通信部は、少なくとも前記点検の対象となる設備機器の設置場所を示す位置情報を、前記ネットワークを介してサーバから受信し、
前記事前承認部は、前記現在位置が、前記位置情報により示される設置場所に含まれる場合、前記点検の開始を承認する請求項１０記載の設備点検業務端末。
【請求項１２】
設備機器の点検を行う際に用いられる設備点検業務端末で用いられる設備点検支援方法において、
前記点検を実施する担当者を示す担当者情報、及び前記点検を実施する予定の時間帯を示す時間帯情報を含む点検計画データを予め記憶し、
前記点検の開始前に、前記端末を使用する利用者の利用者情報と、現在時刻を取得し、
前記記憶している前記担当者情報及び時間帯情報を読み出し、
前記担当者情報と、前記利用者情報とが一致し、かつ、前記時間帯情報により示される時間帯が前記現在時刻を含む場合、前記点検の開始を承認する設備点検支援方法。
【請求項１３】
少なくとも前記点検の対象となる設備機器の設置場所を示す位置情報を予めさらに記憶し、
前記点検の開始前に、前記端末が存在する現在位置をさらに取得し、
前記現在位置が、前記位置情報により示される設置場所に含まれる場合、前記点検の開始を承認する請求項１２記載の設備点検支援方法。
【請求項１４】
コンピュータを備え、設備機器の点検を行う際に用いられる設備点検業務端末で使用される設備点検支援プログラムにおいて、
前記点検の開始前に、前記端末を使用する利用者の利用者情報を取得する利用者情報取得処理と、
前記点検の開始前に、現在時刻を取得する第１の時刻取得処理と、
予め記憶する点検計画データに含まれる、前記点検を実施する担当者を示す担当者情報、及び前記点検を実施する予定の時間帯を示す時間帯情報を読み出す第１の読出処理と、
前記担当者情報と、前記利用者情報とが一致し、かつ、前記時間帯情報により示される時間帯が前記現在時刻を含む場合、前記点検の開始を承認する事前承認処理と
を前記コンピュータに実行させる設備点検支援プログラム。
【請求項１５】
前記点検の開始前に、前記端末が存在する現在位置を取得する第１の位置取得処理を前記コンピュータにさらに実行させ、
前記第１の読出処理は、予め記憶される、少なくとも前記点検の対象となる設備機器の設置場所を示す位置情報を読み出し、
前記事前承認処理は、前記現在位置が、前記位置情報により示される設置場所に含まれる場合、前記点検の開始を承認する請求項１４記載の設備点検支援プログラム。
【請求項１６】
前記点検の開始時に、前記点検の対象となる設備機器の設備ＩＤを直接取得する設備情報取得処理と、
前記点検計画データにさらに含まれ、前記点検の対象となる設備機器の設備ＩＤを読み出す第２の読出処理と、
前記直接取得した設備ＩＤが前記読み出した設備ＩＤに含まれるか否かを判断する検索処理と、
前記直接取得した設備ＩＤが前記読み出した設備ＩＤに含まれる場合、前記設備ＩＤにより特定される設備機器について予め記憶される詳細情報のうち、前記直接取得した設備ＩＤに応じた設備機器の詳細情報を読み出して表示する表示処理と
を前記コンピュータにさらに実行させる請求項１５に記載の設備点検支援プログラム。
【請求項１７】
前記設備機器の点検が終了すると、前記点検が終了した終了時刻を取得する第２の時刻取得処理と、
前記設備機器の点検が終了すると、前記点検が終了した終了位置を取得する第２の位置取得処理と、
前記時間帯情報と、前記点検が終了した設備機器の設置場所を示す位置情報とを読み出す第３の読出処理と、
前記終了時刻が前記読み出した時間帯情報により示される時間帯に含まれ、かつ、前記終了場所が前記読み出した位置情報により示される設置場所と一致する場合、点検結果を記憶する登録処理と
を前記コンピュータにさらに実効させる請求項１６記載の設備点検支援プログラム。
【請求項１８】
前記第１の読出処理は、予め記憶される前記点検の対象となり得る設備機器の設置場所を示す位置情報のうち、立入制限の対象であることを示す立入制限フラグが付された位置情報を読み出し、
前記事前承認処理は、前記立入制限フラグが付された位置情報により示される設置場所と、前記現在位置とが一致する場合、立入が制限されていることを表示する請求項１５記載の設備点検支援プログラム。
【発明の詳細な説明】
【技術分野】
【０００１】
本発明の実施形態は、上下水道事業等において設置される設備の点検に用いられる設備点検業務端末、及び設備点検支援システム、並びに設備点検業務端末で用いられる設備点検支援方法、及び設備点検支援プログラムに関する。
【背景技術】
【０００２】
上下水道事業又は発電事業等では、事業者は、経営及び／又は技術の運営基盤を強化するために、民間企業への業務委託を活用している。
【０００３】
上下水道事業又は発電事業等についての設備点検業務を初めて受託した民間企業は、遂行場所に係る業務ノウハウが少なかったり、配置した担当者が当該業務についての経験がなかったりする場合等がある。このため、民間企業は、判断が求められる場合の業務知識（ノウハウ）の補完、及び／又は業務効率の向上のために、担当者に情報端末を携帯させることが多い。
【０００４】
設備点検業務で使用する情報端末には、従来、速度性能及び耐久性を考慮し、設備点検業務専用に開発された専用端末が採用されることが多かった。しかしながら、一般消費者向けに販売される汎用端末よりも販売台数が少ないため、初期導入時及び更新時にコストがかかる。そのため、コストをなるべく抑えたい受託業務では、専用端末を採用しづらいという問題があった。
【０００５】
ところで、近年、低コストで高機能な汎用端末が販売されている。この種の汎用端末は、設備点検業務における情報端末として採用することが可能であるが、業務以外の目的で使用できたり、担当者でなくても端末に保存した情報を閲覧できたりするなど、情報セキュリティ上の問題が指摘されている。
【先行技術文献】
【特許文献】
【０００６】
【特許文献１】特開２０１１−２４３０９１号公報
【発明の概要】
【発明が解決しようとする課題】
【０００７】
以上のように、設備点検業務で使用される情報端末は、低コスト化が望まれているが、専用端末よりも低コストで調達可能な汎用端末を利用する場合、情報セキュリティ上の問題が生じる可能性がある。
【０００８】
そこで、目的は、低コスト、かつ、高度な情報セキュリティを達成しつつ、設備点検業務を実施することが可能な設備点検業務端末、及び設備点検支援システム、並びに設備点検業務端末で用いられる設備点検支援方法、及び設備点検支援プログラムを提供することにある。
【課題を解決するための手段】
【０００９】
実施形態によれば、設備機器の点検を行う際に用いられる設備点検業務端末は、記憶部、利用者情報取得部、時刻取得部及び制御部を具備する。記憶部は、前記点検を実施する担当者を示す担当者情報、及び前記点検を実施する予定の時間帯を示す時間帯情報を含む点検計画データを予め記憶する。利用者情報取得部は、前記点検の開始前に、前記端末を使用する利用者の利用者情報を取得する。時刻取得部は、前記点検の開始前に、現在時刻を取得する。制御部は、前記担当者情報と、前記利用者情報とが一致し、かつ、前記時間帯情報により示される時間帯が前記現在時刻を含む場合、前記点検の開始を承認する事前承認部を備える。
【図面の簡単な説明】
【００１０】
【図１】第１の実施形態に係る設備点検業務端末の機能構成を示すブロック図である。
【図２】図１に示す制御部が事前承認動作を実施する際のフローチャートを示す図である。
【図３】図１に示す制御部が点検処理動作を実施する際のフローチャートを示す図である。
【図４】第２の実施形態に係る設備点検業務端末を含む設備点検支援システムの機能構成を示すブロック図である。
【図５】図４に示す設備点検業務端末の機能構成を示すブロック図である。
【発明を実施するための形態】
【００１１】
以下、実施の形態について、図面を参照して説明する。
【００１２】
（第１の実施形態）  
図１は、第１の実施形態に係る設備点検業務端末１０の機能構成を示すブロック図である。図１に示す設備点検業務端末１０は、例えば、低コストで入手可能な高機能な汎用端末であり、利用者情報取得部１１、時刻取得部１２、位置取得部１３、設備情報取得部１４、計時部１５、表示部１６、記憶部１７及び制御部１８を具備する。
【００１３】
利用者情報取得部１１は、入力部及び撮像部等を含み、利用者情報を取得する。入力部は、例えばキーボード又はタッチパネル等であり、設備点検業務端末１０の利用者により、利用者ＩＤ及びパスワード等が入力される。撮像部は、例えばカメラ又はスキャナ等であり、利用者の指紋及び静脈パターンを撮像する。利用者情報取得部１１は、取得した利用者情報を制御部１８へ出力する。
【００１４】
時刻取得部１２は、計時部１５で計時される時刻を取得する。なお、時刻取得部１２は、外部から供給される時刻情報を取得するようにしても構わない。時刻取得部１２は、取得した時刻情報を制御部１８へ出力する。
【００１５】
位置取得部１３は、ＧＰＳ（Global Positioning System）等を利用し、設備点検業務端末１０が現在位置する位置情報を取得する。位置取得部１３は、取得した位置情報を制御部１８へ出力する。
【００１６】
設備情報取得部１４は、設備機器に付されているバーコード又は２次元コードを直接読み取る読取器である。バーコード又は２次元コードには、設備機器の設備ＩＤが書き込まれている。設備情報取得部１４は、バーコード又は２次元コードから設備ＩＤを取得する。または、設備情報取得部１４は、設備機器に付されているＲＦタグのリーダであってもよい。ＲＦタグには、設備機器の設備ＩＤが埋め込まれている。設備情報取得部１４は、ＲＦタグから設備ＩＤを取得する。設備情報取得部１４は、取得した設備ＩＤを制御部１８へ出力する。
【００１７】
記憶部１７は、複数のデータベースを有する。例えば、記憶部１７は、図１に示すように、担当者データベース１７１、点検計画データベース１７２、設備設置場所データベース１７３、設備データベース１７４及び点検履歴データベース１７５を有する。なお、記憶部１７が有するデータベースは、上記のデータベースに限定される訳ではない。
【００１８】
担当者データベース１７１は、設備点検業務端末１０を利用して設備点検業務を実施する担当者の担当者情報を記憶している。担当者情報とは、例えば、担当者ＩＤ、パスワード、指紋又は静脈パターン等である。担当者データベース１７１は、設備点検業務が実施される前に更新される。すなわち、担当者情報は、設備点検業務が実施される前に、設備点検業務端末１０の管理者により入力されるか、外部の機器から転送される。担当者データベース１７１は、入力された担当者情報、又は、転送された担当者情報を記憶する。
【００１９】
また、担当者データベース１７１は、制御部１８からの要求に応じ、記憶している担当者情報を制御部１８へ出力する。
【００２０】
点検計画データベース１７２は、設備点検業務の計画ＩＤ、担当者ＩＤ、点検対象設備の設備ＩＤ、及び点検を行う時間帯等を含む点検計画を記憶している。点検計画データベース１７２は、設備点検業務が実施される前に更新される。すなわち、点検計画は、設備点検業務が実施される前に、設備点検業務端末１０の管理者により入力されるか、外部の機器から転送される。点検計画データベース１７２は、入力された点検計画、又は、転送された点検計画を記憶する。
【００２１】
また、点検計画データベース１７２は、制御部１８からの要求に応じ、記憶している点検計画を制御部１８へ出力する。
【００２２】
設備設置場所データベース１７３は、業務委託元の事業者が保有する、点検対象となり得る設備の設備ＩＤ、設備ＩＤ毎の設備種別ＩＤ及び設備ＩＤ毎の設置場所を記憶している。また、設備設置場所データベース１７３は、設置場所への立ち入りを制限する設備には、その設備の設備ＩＤに、設置場所への立入制限を表すフラグを付するようにしてもよい。設備設置場所データベース１７３は、制御部１８からの要求に応じ、記憶している設備ＩＤ、設備種別ＩＤ及び設置場所を制御部１８へ出力する。
【００２３】
設備データベース１７４は、業務委託元の事業者が保有する、点検対象となり得る設備の設備種別ＩＤ、設備種別毎の設備機器の詳細情報を記憶している。ここで、詳細情報とは、例えば、設備機器の仕様、及び設備機器の図面等を意味する。設備データベース１７４は、制御部１８からの要求に応じ、記憶している設備種別ＩＤ、仕様及び図面を制御部１８へ出力する。
【００２４】
点検履歴データベース１７５は、設備点検業務の計画ＩＤ、点検結果、及び点検結果の登録時刻を記憶している。点検履歴データベース１７５は、設備点検業務が終了すると、制御部１８からの指示に従い、計画ＩＤ、点検結果、及び時刻取得部１２により取得された時刻を記憶する。また、点検履歴データベース１７５は、制御部１８からの要求に応じ、記憶している計画ＩＤ、及び点検結果を制御部１８へ出力する。
【００２５】
制御部１８は、例えば、ＣＰＵ（Central Processing Unit）と、ＲＯＭ（Read Only Memory）及びＲＡＭ（Random Access Memory）等のＣＰＵが処理を実行するためのプログラムやデータの格納領域等とを含む。制御部１８は、ＣＰＵに設備点検支援プログラムを実行させることで、以下の機能を実現する。すなわち、制御部１８は、事前承認部１８１及び点検処理部１８２を備える。
【００２６】
事前承認部１８１は、利用者特定部１８１１、時刻照合部１８１２及び位置照合部１８１３を備える。
【００２７】
利用者特定部１８１１は、設備点検業務端末１０の利用者から設備点検業務を開始する指示を受けると、利用者に対して、計画ＩＤ、並びに、利用者ＩＤ及びパスワード等の利用者情報の入力を要求する。利用者特定部１８１１は、計画ＩＤ及び利用者情報の入力を要求する旨を表示部１６に表示させる。なお、利用者特定部１８１１は、設備点検業務を開始する指示ではなく、設備点検業務端末１０の立ち上げ指示に応答して利用者に対して計画ＩＤ及び利用者情報の入力を要求してもよい。また、利用者特定部１８１１は、利用者情報として利用者ＩＤ及びパスワードに加えて、又は、利用者ＩＤ及びパスワードの代わりに、指紋及び／又は静脈パターンの入力を要求するようにしてもよい。
【００２８】
利用者特定部１８１１は、利用者情報取得部１１から計画ＩＤ及び利用者情報が提供されると、担当者データベース１７１に記憶されている点検計画のうち、計画ＩＤにより特定される点検計画の担当者情報を読み出す。なお、上記のように、担当者情報には、担当者ＩＤ及びパスワード等が含まれる。利用者特定部１８１１は、提供される利用者情報と、読み出した担当者情報とを比較する。提供される利用者情報と、読み出した担当者情報とが一致する場合、利用者特定部１８１１は、時刻照合指示、計画ＩＤ及び利用者ＩＤを時刻照合部１８１２へ出力する。提供される利用者情報と、読み出した担当者情報が一致しない場合、利用者特定部１８１１は、予め記憶された担当者でない旨を表示部１６に表示させる。
【００２９】
時刻照合部１８１２は、利用者特定部１８１１から時刻照合指示、計画ＩＤ及び利用者ＩＤが提供されると、時刻取得部１２により、現在時刻を取得する。時刻照合部１８１２は、点検計画データベース１７２に記憶される点検計画のうち、提供される計画ＩＤが含まれ、かつ、提供される利用者ＩＤが担当者ＩＤとして含まれる点検計画を検索する。時刻照合部１８１２は、検索により得られた点検計画に含まれる時間帯と、時刻取得部１２により取得された現在時刻とを比較する。点検計画に含まれる時間帯に、取得した現在時刻が含まれる場合、時刻照合部１８１２は、位置照合指示を位置照合部１８１３へ出力する。点検計画に含まれる時間帯に、取得した現在時刻が含まれない場合、時刻照合部１８１２は、現在時刻が点検計画に則っていない旨を表示部１６に表示させる。
【００３０】
位置照合部１８１３は、時刻照合部１８１２から位置照合指示が提供されると、位置取得部１３により、設備点検業務端末１０の現在位置を取得する。位置照合部１８１３は、位置取得部１３により取得された現在位置が、設備設置場所データベース１７３に記憶されている設置場所に含まれていることを確認する。取得した現在位置が設備設置場所データベース１７３に記憶されている設置場所に含まれている場合、位置照合部１８１３は、点検処理部１８２へ承認指示を出力し、出力設備点検業務の事前承認処理を終了する。取得した現在位置が設備設置場所データベース１７３に記憶されている設置場所に含まれていない場合、位置照合部１８１３は、取得した現在位置が設備機器の設置場所と一致しない旨を表示部１６に表示させる。なお、取得した現在位置が設備設置場所データベース１７３に記憶されている設置場所に含まれているとは、取得した現在位置の座標が、設備設置場所データベース１７３に記憶されている設置場所の座標と完全に一致することに限られず、取得した現在位置の座標が、設備設置場所データベース１７３に記憶されている設置場所の座標から一定の範囲内に含まれることを示す。
【００３１】
また、位置照合部１８１３は、取得した現在位置が、立入制限フラグが付された設備機器の設置場所にある場合には、取得した現在位置が立入制限された位置である旨を表示部１６に表示させる。
【００３２】
点検処理部１８２は、検索部１８２１、表示処理部１８２２及び登録部１８２３を備える。
【００３３】
検索部１８２１は、事前承認部１８１から承認指示を受けると、利用者に対して設備ＩＤを取得するように要求する。検索部１８２１は、設備ＩＤの取得を要求する旨を表示部１６に表示させる。
【００３４】
検索部１８２１は、設備情報取得部１４により取得された設備ＩＤが提供されると、提供される設備ＩＤが、点検計画データベース１７２に記憶される点検計画に含まれていることを確認する。提供される設備ＩＤが点検計画に含まれている場合、検索部１８２１は、設備ＩＤが付された設備機器が設備点検業務の対象であると特定する。提供される設備ＩＤが点検計画に含まれていない場合、検索部１８２１は、設備ＩＤを取得した設備機器が点検計画に含まれていない旨を表示部１６に表示させる。
【００３５】
表示処理部１８２２は、検索部１８２１により特定された点検対象設備の設備ＩＤと対応する設備種別ＩＤを、設備設置場所データベース１７３から取得する。表示処理部１８２２は、取得した設備種別ＩＤに基づき、設備データベース１７４から仕様及び図面を読み出す。表示処理部１８２２は、読み出した仕様及び図面を表示部１６に表示させる。
【００３６】
また、表示処理部１８２２は、検索部１８２１により特定された点検対象設備の設備ＩＤと対応する過去の点検結果を、点検履歴データベース１７５から読み出す。表示処理部１８２２は、読み出した点検結果を表示部１６に表示させる。
【００３７】
設備点検業務端末１０の利用者は、表示部１６に表示される仕様、図面及び過去の点検結果を参照し、点検対象設備の点検を実施する。
【００３８】
登録部１８２３は、利用者による設備点検業務が終了し、点検結果の記憶が指示されると、時刻取得部１２により、点検終了時の点検終了時刻を取得する。登録部１８２３は、点検計画データベース１７２に記憶されている点検計画のうち、計画ＩＤにより特定される点検計画を検索する。登録部１８２３は、検索により得られた点検計画に含まれる時間帯と、時刻取得部１２により取得された点検終了時刻とを比較する。点検計画に含まれる時間帯に、取得した点検終了時刻が含まれる場合、登録部１８２３は、位置取得部１３により、設備点検業務端末１０の現在位置を取得する。点検計画に含まれる時間帯に、取得した点検終了時刻が含まれない場合、登録部１８２３は、設備点検業務の終了時刻が点検計画に則っていない旨を表示部１６に表示させる。
【００３９】
また、登録部１８２３は、点検対象設備の設備ＩＤと対応する設置場所を設備設置場所データベース１７３から読み出す。登録部１８２３は、取得した現在位置と、読み出した設置場所とを比較する。現在位置と、点検対象設備の設置場所とが一致する場合、登録部１８２３は、設備点検業務の計画ＩＤ、点検結果、及び時刻取得部１２により取得された時刻を、点検履歴データベース１７５に記憶させる。現在位置と、点検対象設備の設置場所とが一致しない場合、登録部１８２３は、設備点検業務の終了位置が点検対象設備の設置場所と不一致である旨を表示部１６に表示させる。
【００４０】
次に、以上のように構成される設備点検業務端末１０による事前承認動作及び点検処理動作を、制御部１８の処理手順に従い説明する。
【００４１】
図２は、第１の実施形態に係る制御部１８が事前承認動作を実施する際のフローチャートを示す。
【００４２】
まず、制御部１８は、設備点検業務端末１０の利用者から設備点検業務を開始する指示を受け取る（ステップＳ２１）。利用者特定部１８１１は、利用者から設備点検業務を開始する指示を受けると、計画ＩＤ、並びに、利用者ＩＤ及びパスワード等の利用者情報の入力を要求する旨を表示部１６に表示させる（ステップＳ２２）。
【００４３】
利用者特定部１８１１は、計画ＩＤ及び利用者情報が入力されると、入力された利用者情報と、担当者データベース１７１に記憶されている点検計画のうち、計画ＩＤにより特定される点検計画に含まれる担当者情報とが一致するか否かを判断する（ステップＳ２３）。入力された利用者情報と、記憶されている担当者情報とが一致する場合（ステップＳ２３のＹｅｓ）、利用者特定部１８１１は、時刻照合部１８１２を起動させ、時刻照合部１８１２へ計画ＩＤ及び利用者ＩＤを出力する（ステップＳ２４）。入力された利用者情報と、記憶されている担当者情報とが一致しない場合（ステップＳ２３のＮｏ）、利用者特定部１８１１は、予め記憶された担当者でない旨を表示部１６に表示させ（ステップＳ２５）、処理を終了させる。
【００４４】
時刻照合部１８１２は、起動すると、時刻取得部１２により、現在時刻を取得する（ステップＳ２６）。時刻照合部１８１２は、利用者特定部１８１１から供給される計画ＩＤ及び供給される利用者ＩＤが含まれる点検計画を検索し、検索により得られた点検計画に含まれる時間帯を取得する（ステップＳ２７）。時刻照合部１８１２は、点検計画に含まれる時間帯に、取得した現在時刻が含まれるか否かを判断する（ステップＳ２８）。点検計画に含まれる時間帯に、取得した現在時刻が含まれる場合（ステップＳ２８のＹｅｓ）、時刻照合部１８１２は、位置照合部１８１３を起動させる（ステップＳ２９）。点検計画に含まれる時間帯に、取得した現在時刻が含まれない場合（ステップＳ２８のＮｏ）、時刻照合部１８１２は、現在時刻が点検計画に則っていない旨を表示部１６に表示させ（ステップＳ２１０）、処理を終了させる。
【００４５】
位置照合部１８１３は、起動すると、位置取得部１３により、設備点検業務端末１０の現在位置を取得する（ステップＳ２１１）。位置照合部１８１３は、設備設置場所データベース１７３に記憶されている設置場所を取得する（ステップＳ２１２）。位置照合部１８１３は、取得した現在位置が、設備設置場所データベース１７３に記憶されている設置場所に含まれているかを判断する（ステップＳ２１３）。取得した現在位置が、設備設置場所データベース１７３に記憶されている設置場所に含まれている場合（ステップＳ２１３のＹｅｓ）、位置照合部１８１３は、点検処理部１８２へ承認指示を出力し（ステップＳ２１４）、処理を終了させる。記憶されている設置場所と、取得した現在位置が、設備設置場所データベース１７３に記憶されている設置場所に含まれていない場合（ステップＳ２１３のＮｏ）、位置照合部１８１３は、取得した現在位置が設備機器の設置場所に含まれていない旨を表示部１６に表示させ（ステップＳ２１５）、処理を終了させる。
【００４６】
図３は、第１の実施形態に係る制御部１８が点検処理動作を実施する際のフローチャートを示す。
【００４７】
まず、制御部１８は、事前承認部１８１から承認指示を受け取る（ステップＳ３１）。検索部１８２１は、事前承認部１８１から承認指示を受けると、設備ＩＤの取得を要求する旨を表示部１６に表示させる（ステップＳ３２）。
【００４８】
検索部１８２１は、設備ＩＤが提供されると、提供された設備ＩＤが、点検計画データベース１７２に記憶される点検計画に含まれているか否かを判断する（ステップＳ３３）。提供される設備ＩＤが点検計画に含まれている場合（ステップＳ３３のＹｅｓ）、検索部１８２１は、設備ＩＤが付された設備機器が設備点検業務の対象であると特定する（ステップＳ３４）。提供された設備ＩＤが点検計画に含まれていない場合（ステップＳ３３のＮｏ）、検索部１８２１は、設備ＩＤを取得した設備機器が点検計画に含まれていない旨を表示部１６に表示させ（ステップＳ３５）、処理を終了させる。
【００４９】
続いて、表示処理部１８２２は、検索部１８２１により特定された点検対象設備の仕様及び図面を設備データベース１７４から読み出し、読み出した仕様及び図面を表示部１６に表示させる（ステップＳ３６）。表示処理部１８２２は、検索部１８２１により特定された点検対象設備についての過去の点検結果を、点検履歴データベース１７５から読み出し、読み出した点検結果を表示部１６に表示させる（ステップＳ３７）。設備点検業務端末１０の利用者は、表示部１６の表示内容を参照し、点検業務を実施する。制御部１８は、利用者が表示部１６の表示を参照して実施する点検業務の結果を受け付ける。
【００５０】
登録部１８２３は、設備点検業務が終了し、点検結果を記憶する旨の指示が利用者から入力されたか否かを判断する（ステップＳ３８）。点検結果を記憶する旨の指示が利用者から入力された場合（ステップＳ３８のＹｅｓ）、登録部１８２３は、時刻取得部１２により、現在時刻を取得する（ステップＳ３９）。点検結果を記憶する旨の指示が利用者から入力されない場合（ステップＳ３８のＮｏ）、登録部１８２３は、指示があるまで待機する。
【００５１】
登録部１８２３は、現在時刻を取得すると、点検計画に含まれる時間帯を点検計画データベース１７２から取得する（ステップＳ３１０）。登録部１８２３は、取得した現在時刻が、点検計画に記載される時間帯に含まれるか否かを判断する（ステップＳ３１１）。取得した現在時刻が点検計画に記載される時間帯に含まれる場合（ステップＳ３１１のＹｅｓ）、登録部１８２３は、位置取得部１３により、現在位置を取得する（ステップＳ３１２）。取得した現在時刻が点検計画に記載される時間帯に含まれない場合（ステップＳ３１１のＮｏ）、登録部１８２３は、現在時刻が点検計画における点検業務の終了時刻に則っていない旨を表示部１６に表示させる（ステップＳ３１３）。
【００５２】
登録部１８２３は、現在位置を取得すると、点検対象設備の設置場所を設備設置場所データベース１７３から取得する（ステップＳ３１４）。登録部１８２３は、現在位置と、点検対象設備の設置場所とが一致するか否かを判断する（ステップＳ３１５）。現在位置と、点検対象設備の設置場所とが一致する場合（ステップＳ３１５のＹｅｓ）、登録部１８２３は、設備点検業務の計画ＩＤ、点検結果、及び時刻取得部１２により取得された時刻を、点検履歴データベース１７５に記憶し（ステップＳ３１６）、処理を終了させる。現在位置と、点検対象設備の設置場所とが一致しない場合（ステップＳ３１５のＮｏ）、登録部１８２３は、現在位置が点検対象設備の設置場所と不一致である旨を表示部１６に表示させる（ステップＳ３１７）。
【００５３】
以上のように、第１の実施形態に係る設備点検業務端末１０は、事前承認部１８１の利用者特定部１８１１により、利用者と点検計画に予定されている担当者とを照合し、時刻照合部１８１２により、点検業務を開始する時刻と点検計画に記載される時間帯とを照合し、位置照合部１８１３により、点検業務を開始する位置と設備の設置場所とを照合するようにしている。これにより、利用者特定部１８１１により、担当者以外が端末を利用することを防ぐことに加え、時刻照合部１８１２により、点検計画に設定された時間帯以外で端末の利用を防止することが可能となる。また、位置照合部１８１３により、点検業務の対象となり得る場所以外での端末の利用を防止することも可能となる。
【００５４】
また、第１の実施形態では、位置照合部１８１３は、現在位置が立ち入りを制限された場所である場合には、現在位置では設備点検業務を実施させないようにしている。これにより、設備機器に係る情報へのアクセスを制限することが可能となる。
【００５５】
また、第１の実施形態に係る設備点検業務端末１０は、点検処理部１８２の検索部１８２１により、設備ＩＤを取得した設備を点検対象設備であることを特定し、表示処理部１８２２により、点検対象設備の点検時に必要となるデータを表示するようにしている。これにより、利用者は設備設置場所に行かなければ点検設備に係る情報を表示できないため、設備点検業務端末１０は、自端末に保存されている情報が流出することを防止することが可能となる。また、点検対象設備以外の情報は表示されないため、設備点検業務端末１０は、複数の利用者により共用されることが可能となる。さらに、設備単位で設備に係る情報の利用者を特定できるため、設備点検業務端末１０は、情報の流出を予防することも可能となる。
【００５６】
また、第１の実施形態に係る設備点検業務端末１０は、登録部１８２３により、点検業務の終了時刻及び点検業務の終了位置を点検計画と照合した上で点検結果を記憶するようにしている。これにより、データ登録時刻が点検業務計画時間帯に含まれていない場合、又は、データ登録場所が点検設備の設置場所と離れている場合にはデータを登録できないため、設備点検業務端末１０は、情報の改ざんを防止することが可能である。
【００５７】
したがって、第１の実施形態に係る設備点検業務端末１０は、高機能な汎用端末を用いて実現可能であるため、設備点検業務端末１０によれば、低コスト、かつ、高度な情報セキュリティを達成しつつ、設備点検業務を実施することができる。そのため、受託業者は、上下水道設備等の点検業務で使用する情報端末について、専用ハードウェアを開発することなく情報セキュリティを高めることができる。そして、上下水道事業等の重要インフラを担う事業者は、重要な設備等の情報を取り扱う点検業務を、安心して民間事業者に委託できる。
【００５８】
また、第１の実施形態では、点検計画データベース１７２に点検計画を記憶させ、担当者データベース１７１に点検計画における点検の担当者の担当者情報を記憶させるようにしている。従来の点検業務に関するデータベースシステムでは、データにアクセス権を付与することでセキュリティを確保していた。このため、委託先及び／又は委託作業内容が変更される度に、データベースのアクセス権を変更する等のシステム管理作業が発生していた。これに対し、第１の実施形態では、点検計画データベース１７２に記憶される点検計画に基づいてデータへのアクセスを制限するようにしている。これにより、データベースの内部構造を理解しなくてもセキュリティを確保することが可能となり、業務委託元の情報管理に係る負担を軽減することが可能となる。
【００５９】
なお、第１の実施形態では、設備設置場所データベース１７３及び設備データベース１７４は、業務委託元の事業者が保有するデータを記憶するようにしている。しかしながら、これに限定される訳ではない。例えば、設備設置場所データベース１７３及び設備データベース１７４は、点検計画データベース１７２に記憶される点検計画に含まれる設備ＩＤについてのデータを記憶するようにしても構わない。これにより、設備設置場所データベース１７３及び設備データベース１７４には、点検計画に含まれない設備機器についての情報が含まれないことになるため、設備点検業務端末１０の容量を抑えると共に、情報セキュリティを向上させることが可能となる。
【００６０】
（第２の実施形態）  
図４は、第２の実施形態に係る設備点検業務端末２０を含む設備点検支援システムの機能構成を示すブロック図である。図４に示す設備点検支援システムは、設備点検業務端末２０及びサーバ３０を具備する。設備点検業務端末２０とサーバ３０とは、ネットワークにより接続される。
【００６１】
サーバ３０は、記憶部３１、通信部３２及び制御部３３を備える。なお、図４において図１と共通する部分には同じ符号を付して示す。
【００６２】
記憶部３１は、担当者データベース１７１、点検計画データベース１７２、設備設置場所データベース１７３、設備データベース１７４及び点検履歴データベース１７５を有する。記憶部３１は、制御部３３からの指示に応じて担当者データベース１７１、点検計画データベース１７２、設備設置場所データベース１７３、設備データベース１７４及び点検履歴データベース１７５から必要なデータを読み出す。記憶部３１は、読み出したデータを通信部３２へ出力する。
【００６３】
通信部３２は、予め設定された通信プロトコルによりネットワークと接続し、記憶部３１から読み出されたデータを、ネットワークを介して設備点検業務端末２０へ送信する。
【００６４】
また、通信部３２は、ネットワークを介して、設備点検業務端末２０から送信される読出し要求を受信する。また、通信部３２は、ネットワークを介して、設備点検業務端末２０から送信されるデータ及び記憶要求を受信する。
【００６５】
制御部３３は、通信部３２が読出し要求を受信した場合、要求されるデータを読み出すように、記憶部３１に対して読出し指示を出力する。
【００６６】
また、制御部３３は、通信部３２がデータ及び記憶要求を受信した場合、要求されたデータを記憶部３１に記憶するように、記憶部３１に対して記憶指示を出力する。
【００６７】
図５は、第２の実施形態に係る設備点検業務端末２０の機能構成を示すブロック図である。図５に示す設備点検業務端末２０は、例えば、低コストで入手可能な高機能な汎用端末であり、利用者情報取得部１１、時刻取得部１２、位置取得部１３、設備情報取得部１４、計時部１５、表示部１６、通信部２１及び制御部２２を具備する。なお、図５において図１と共通する部分には同じ符号を付して示す。
【００６８】
通信部２１は、予め設定された通信プロトコルによりネットワークと接続する。通信部２１は、制御部２２からの読出指示に従い、必要とするデータの読出要求を、ネットワークを介してサーバ３０へ送信する。また、通信部２１は、制御部２２からの記憶指示に従い、制御部２２から供給されるデータと、このデータをサーバ３０へ記憶する記憶要求を、ネットワークを介してサーバ３０へ送信する。また、通信部２１は、ネットワークを介して、サーバ３０から送信されるデータを受信する。
【００６９】
制御部２２は、例えば、ＣＰＵと、ＲＯＭ及びＲＡＭ等のＣＰＵが処理を実行するためのプログラムやデータの格納領域等とを含む。制御部２２は、ＣＰＵに設備点検支援プログラムを実行させることで、以下の機能を実現する。すなわち、制御部２２は、事前承認部２２１及び点検処理部２２２を備える。
【００７０】
事前承認部２２１は、利用者特定部２２１１、時刻照合部２２１２及び位置照合部２２１３を備える。
【００７１】
利用者特定部２２１１は、設備点検業務端末２０の利用者から設備点検業務を開始する指示を受けると、利用者に対して、計画ＩＤ及び利用者情報の入力を要求する。利用者特定部２２１１は、計画ＩＤ及び利用者情報の入力を要求する旨を表示部１６に表示させる。
【００７２】
利用者特定部２２１１は、利用者情報取得部１１から計画ＩＤ及び利用者情報が提供されると、担当者データベース１７１に記憶されている点検計画のうち、計画ＩＤにより特定される点検計画の担当者情報を読み出す読出指示を通信部２１へ出力する。利用者特定部２２１１は、サーバ３０から担当者情報が供給されると、供給された担当者情報と、入力された利用者情報とを比較する。供給された担当者情報と、入力された利用者情報とが一致する場合、利用者特定部２２１１は、時刻照合指示、計画ＩＤ及び利用者ＩＤを時刻照合部２２１２へ出力する。供給された担当者情報と、入力された利用者情報とが一致しない場合、利用者特定部２２１１は、予め記憶された担当者でない旨を表示部１６に表示させる。
【００７３】
時刻照合部２２１２は、利用者特定部２２１１から時刻照合指示、計画ＩＤ及び利用者ＩＤが提供されると、時刻取得部１２により、現在時刻を取得する。時刻照合部２２１２は、点検計画データベース１７２に記憶される点検計画のうち、提供される計画ＩＤが含まれ、かつ、提供される利用者ＩＤが担当者ＩＤとして含まれる点検計画を読み出す読出指示を通信部２１へ出力する。時刻照合部２２１２は、サーバ３０から点検計画が供給されると、供給された点検計画に含まれる時間帯と、時刻取得部１２により取得された現在時刻とを比較する。点検計画に含まれる時間帯に、取得した現在時刻が含まれる場合、時刻照合部２２１２は、位置照合指示を位置照合部２２１３へ出力する。点検計画に含まれる時間帯に、取得した現在時刻が含まれない場合、時刻照合部２２１２は、現在時刻が点検計画に則っていない旨を表示部１６に表示させる。
【００７４】
位置照合部２２１３は、時刻照合部２２１２から位置照合指示が提供されると、位置取得部１３により、設備点検業務端末２０の現在位置を取得する。位置照合部２２１３は、設備設置場所データベース１７３に記憶されている設置場所を読み出す読出指示を通信部２１へ出力する。位置照合部２２１３は、サーバ３０から設置場所が供給されると、供給された設置場所と、位置取得部１３により取得された現在位置とを比較する。取得した現在位置が供給された設置場所に含まれている場合、位置照合部２２１３は、点検処理部２２２へ承認指示を出力し、出力設備点検業務の事前承認処理を終了する。取得した現在位置が、供給された設置場所に含まれていない場合、位置照合部２２１３は、取得した現在位置が設備機器の設置場所と一致しない旨を表示部１６に表示させる。また、位置照合部２２１３は、取得した現在位置が、立入制限フラグが付された設備機器の設置場所にある場合には、取得した現在位置が立入制限された位置である旨を表示部１６に表示させる。
【００７５】
点検処理部２２２は、検索部２２２１、表示処理部２２２２及び登録部２２２３を備える。
【００７６】
検索部２２２１は、事前承認部２２１から承認指示を受けると、利用者に対して設備ＩＤを取得するように要求する。検索部２２２１は、設備ＩＤの取得を要求する旨を表示部１６に表示させる。
【００７７】
検索部２２２１は、設備情報取得部１４により取得された設備ＩＤが提供されると、点検計画データベース１７２に記憶される点検計画を読み出す読出指示を通信部２１へ出力する。検索部２２２１は、サーバ３０から点検計画が供給されると、設備情報取得部１４により取得された設備ＩＤが、供給された点検計画に含まれているか否かを判断する。設備情報取得部１４により取得された設備ＩＤが点検計画に含まれている場合、検索部２２２１は、設備ＩＤが付された設備機器が設備点検業務の対象であると特定する。設備情報取得部１４により取得された設備ＩＤが点検計画に含まれていない場合、検索部２２２１は、設備ＩＤを取得した設備機器が点検計画に含まれていない旨を表示部１６に表示させる。
【００７８】
表示処理部２２２２は、検索部２２２１により特定された点検対象設備の設備ＩＤと対応する設備種別ＩＤを、設備設置場所データベース１７３から読み出す読出指示を通信部２１へ出力する。表示処理部２２２２は、サーバ３０から設備種別ＩＤが供給されると、供給された設備種別ＩＤに対応する仕様及び図面を設備データベース１７４から読み出す読出指示を通信部２１へ出力する。表示処理部２２２２は、サーバ３０から仕様及び図面が供給されると、供給された仕様及び図面を表示部１６に表示させる。
【００７９】
また、表示処理部２２２２は、検索部２２２１により特定された点検対象設備の設備ＩＤと対応する過去の点検結果を点検履歴データベース１７５から読み出す読出指示を、通信部２１へ出力する。表示処理部２２２２は、サーバ３０から点検結果が供給されると、供給された点検結果を表示部１６に表示させる。
【００８０】
設備点検業務端末２０の利用者は、表示部１６に表示される仕様、図面及び過去の点検結果を参照し、点検対象設備の点検を実施する。
【００８１】
登録部２２２３は、利用者による設備点検業務が終了し、点検結果の記憶が指示されると、時刻取得部１２により、点検終了時の点検終了時刻を取得する。登録部２２２３は、計画ＩＤにより特定される点検計画を点検計画データベース１７２から読み出す読出指示を通信部２１へ出力する。登録部２２２３は、サーバ３０から点検計画が供給されると、供給された点検計画に含まれる時間帯と、時刻取得部１２により取得された点検終了時刻とを比較する。点検計画に含まれる時間帯に、取得した点検終了時刻が含まれる場合、登録部２２２３は、位置取得部１３により、設備点検業務端末２０の現在位置を取得する。点検計画に含まれる時間帯に、取得した点検終了時刻が含まれない場合、登録部２２２３は、設備点検業務の終了時刻が点検計画に則っていない旨を表示部１６に表示させる。
【００８２】
また、登録部２２２３は、点検対象設備の設備ＩＤと対応する設置場所を設備設置場所データベース１７３から読み出す読出指示を通信部２１へ出力する。登録部２２２３は、サーバ３０から設置場所が供給されると、供給された設置場所と、取得した現在位置とを比較する。現在位置と、点検対象設備の設置場所とが一致する場合、登録部２２２３は、設備点検業務の計画ＩＤ、点検結果及び時刻取得部１２により取得された時刻を、点検履歴データベース１７５に記憶する記憶指示を通信部２１へ出力する。現在位置と、点検対象設備の設置場所とが一致しない場合、登録部２２２３は、設備点検業務の終了位置が点検対象設備の設置場所と不一致である旨を表示部１６に表示させる。
【００８３】
したがって、第２の実施形態に係る設備点検業務端末２０は、高機能な汎用端末を用いて実現可能であるため、設備点検業務端末２０によれば、低コスト、かつ、高度な情報セキュリティを達成しつつ、設備点検業務を実施することができる。
【００８４】
なお、第２の実施形態では、設備点検業務端末２０の制御部２２がサーバ３０から各種データを受け取り、設備点検業務端末２０で取得されたデータと、受け取った各種データとを照合する場合を例に説明した。しかしながら、これに限定される訳ではない。例えば、設備点検業務端末２０が取得したデータをサーバ３０へ出力し、サーバ３０の制御部３３において、設備点検業務端末２０から供給されたデータと、記憶部３１に記憶されているデータとを照合する。そして、サーバ３０の制御部３３は照合結果を設備点検業務端末２０へ出力し、設備点検業務端末２０の制御部２２はサーバ３０からの照合結果を利用するようにしても構わない。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１０，２０…設備点検業務端末、１１…利用者情報取得部、１２…時刻取得部、１３…位置取得部、１４…設備情報取得部、１５…計時部、１６…表示部、１７…記憶部、１７１…担当者データベース、１７２…点検計画データベース、１７３…設備設置場所データベース、１７４…設備データベース、１７５…点検履歴データベース、１８，２２…制御部、１８１，２２１…事前承認部、１８１１，２２１１…利用者特定部、１８１２，２２１２…時刻照合部、１８１３，２２１３…位置照合部、１８２，２２２…点検処理部、１８２１，２２２１…検索部、１８２２，２２２２…表示処理部、１８２３，２２２３…登録部、２１…通信部、３０…サーバ、３１…記憶部、３２…通信部、３３…制御部
【図１】
2014106798.tif 000003
【図２】
2014106798.tif 000004
【図３】
2014106798.tif 000005
【図４】
2014106798.tif 000006
【図５】
2014106798.tif 000007